(57)【要約】【課題】魚介類等の食品包装用容器であって、内部の水分が漏れるおそれがなく、組立て作業を要せずに保管時に省スペースを図ることができ、部品点数も少なく製造コストを抑えることができるものを提供する。【解決手段】食品包装用容器５は、本体部１０と蓋部１００とを有し、本体部１０及び蓋部１００は、１枚のブランクにより形成され、その一方の面にはポリエチレンテレフタラートにより形成されたコート層が設けられ、他方の面にはワニスにより形成された第２のコート層が設けられている。本体部１０は、底面部と、側面部を構成する略台形形状の正面部２０と背面部３０と側面部４０、５０とを有し、隣接する側面部間には、折込み片部６０、７０等が形成されている。蓋部１００は、上面部１０２と側面部１１０、１１４等を有している。【選択図】図８
0003147044.tif 000002
【実用新案登録請求の範囲】
【請求項１】
食品包装用容器であって、
シート状の両面段ボールの一方の面にポリエチレンテレフタラートにより形成されたコート層が形成されたブランクを組み立てることにより形成された本体部で、
方形状の底面部と、
底面部の正面側の辺部から立設した正面部で、底面部の正面側の辺部から折れ線を介して連設された略台形形状の第１内側構成部と、第１内側構成部の底面部側とは反対側の辺部から連設され第１内側構成部の外側の面に固着された略台形形状の第１外側構成部とを有する正面部と、
底面部の背面側の辺部から立設した背面部で、底面部の背面側の辺部から折れ線を介して連設された略台形形状の第２内側構成部と、第２内側構成部の底面部側とは反対側の辺部から連設され第２内側構成部の外側の面に固着された略台形形状の第２外側構成部とを有する背面部と、
底面部の左側面側の辺部から立設した左側面部で、底面部の左側面側の辺部から折れ線を介して連設された略台形形状の第３内側構成部と、第３内側構成部の底面部側とは反対側の辺部から連設され第３内側構成部の外側の面に固着された略台形形状の両側に切欠部を形成した形状の第３外側構成部とを有する左側面部と、
底面部の右側面側の辺部から立設した右側面部で、底面部の右側面側の辺部から折れ線を介して連設された略台形形状の第４内側構成部と、第４内側構成部の底面部側とは反対側の辺部から連設され第４内側構成部の外側の面に固着された略台形形状の両側に切欠部を形成した形状の第４外側構成部とを有する右側面部と、
第１内側構成部と第３内側構成部との間に連設され第１内側構成部と第３内側構成部の下端の境界位置となる底面部の角部位置から上方に向けて形成された第１折込み片部で、２つ折りの状態で第３外側構成部の切欠部内で第３内側構成部の外側の面に接着して形成された第１折込み片部と、
第２内側構成部と第３内側構成部との間に連設され第２内側構成部と第３内側構成部の下端の境界位置となる底面部の角部位置から上方に向けて形成された第２折込み片部で、２つ折りの状態で第３外側構成部の切欠部内で第３内側構成部の外側の面に接着して形成された第２折込み片部と、
第１内側構成部と第４内側構成部との間に連設され第１内側構成部と第４内側構成部の下端の境界位置となる底面部の角部位置から上方に向けて形成された第３折込み片部で、２つ折りの状態で第４外側構成部の切欠部内で第４内側構成部の外側の面に接着して形成された第３折込み片部と、
第２内側構成部と第４内側構成部との間に連設され第２内側構成部と第４内側構成部の下端の境界位置となる底面部の角部位置から上方に向けて形成された第４折込み片部で、２つ折りの状態で第４外側構成部の切欠部内で第４内側構成部の外側の面に接着して形成された第４折込み片部と、を有し、
本体部の内側の面にコート層が露出するように形成され、内部の収納空間が上方にいくほど大径となる本体部と、
シート状の両面段ボールの一方の面にポリエチレンテレフタラートにより形成されたコート層が形成されたブランクにより形成され、本体部に被せるための蓋部で、本体部の上面を被覆する方形状の上面部と、上面部の正面側の辺部から折れ線を介して連設された略台形形状の第１側面部と、上面部の背面側の辺部から折れ線を介して連設された略台形形状の第２側面部と、上面部の左側面側の辺部から折れ線を介して連設された略台形形状の第３側面部と、上面部の右側面側の辺部から折れ線を介して連設された略台形形状の第４側面部とを有し、コート層が形成された面を本体部側として本体部に被せる蓋部と、
を有することを特徴とする食品包装用容器。
【請求項２】
蓋部を本体部に被せた状態で周状に結束して蓋部を本体部に固定するための結束バンド部を有することを特徴とする請求項１に記載の食品包装用容器。
【請求項３】
本体部における上記コート層が形成された面とは反対側の面と、蓋部における上記コート層が形成された面とは反対側の面とには、樹脂と溶剤とを混合してなるワニスにより形成された第２のコート層が形成されていることを特徴とする請求項１又は２に記載の食品包装用容器。
【考案の詳細な説明】
【技術分野】
【０００１】
本考案は、魚介類等の食品用の包装容器に関するものであり、特に、段ボール製の食品包装用容器に関するものである。
【背景技術】
【０００２】
従来より、魚介類を運搬・保管する際には、発泡スチロール製の箱を用いるのが一般的である。すなわち、従来では、箱の内部からの水漏れや低温を維持するために、発泡スチロール製の箱を用いている。この発泡スチロール製の箱は、全体に略直方体を呈し、長方形状の板状の底面部と底面部の各辺から立設した側面部を有し、上方が開口した本体部と、該本体部の開口部を開閉する蓋部とを有している。
【０００３】
また、出願人は、段ボール製の食品（特に、魚介類）の包装用容器に関して、特許文献１及び特許文献２に記載の先行技術文献を知得している。
【特許文献１】特開２００５−１４９８９号公報
【特許文献２】特開２００４−１０６８４４号公報
【考案の開示】
【考案が解決しようとする課題】
【０００４】
しかし、従来における発泡スチロール製の箱においては、その廃棄が面倒であるとともに、未使用の箱を保管する場合でも箱ごとに収納スペースを要してしまうことから省スペースを図ることができないという問題を有していた。
【０００５】
また、特許文献１の箱や特許文献２の容器においては、段ボール製であるので廃棄は容易であるが、省スペースを図ることができないという問題を有している。つまり、特許文献１の箱や特許文献２の容器においては、折り畳んだ状態とすることは可能であり、その点では省スペースを図ることは可能であるが、使用時に組み立てる作業が必要になってしまう。
【０００６】
また、特許文献１に記載の箱では、底部に貫通孔が設けられていることから中の水分が漏れてしまうという問題があり、また、特許文献２に記載の容器においては、内容器３により水分が漏れるのは防止されているが、外容器と内容器とにより構成されていることから、製造コストが掛かるとともに内容器を外容器内に取り付ける作業が別途必要になってしまい、組立てが面倒であるという問題がある。
【０００７】
そこで、本考案は、魚介類等の食品包装用容器であって、内部の水分が漏れるおそれがなく、組立て作業を要せずに保管時に省スペースを図ることができ、部品点数も少なく製造コストを抑えることができるものを提供することを目的とするものである。
【課題を解決するための手段】
【０００８】
本考案は上記問題点を解決するために創作されたものであって、第１には、食品包装用容器であって、シート状の両面段ボールの一方の面にポリエチレンテレフタラートにより形成されたコート層が形成されたブランクを組み立てることにより形成された本体部で、方形状の底面部と、底面部の正面側の辺部から立設した正面部で、底面部の正面側の辺部から折れ線を介して連設された略台形形状の第１内側構成部と、第１内側構成部の底面部側とは反対側の辺部から連設され第１内側構成部の外側の面に固着された略台形形状の第１外側構成部とを有する正面部と、底面部の背面側の辺部から立設した背面部で、底面部の背面側の辺部から折れ線を介して連設された略台形形状の第２内側構成部と、第２内側構成部の底面部側とは反対側の辺部から連設され第２内側構成部の外側の面に固着された略台形形状の第２外側構成部とを有する背面部と、底面部の左側面側の辺部から立設した左側面部で、底面部の左側面側の辺部から折れ線を介して連設された略台形形状の第３内側構成部と、第３内側構成部の底面部側とは反対側の辺部から連設され第３内側構成部の外側の面に固着された略台形形状の両側に切欠部を形成した形状の第３外側構成部とを有する左側面部と、底面部の右側面側の辺部から立設した右側面部で、底面部の右側面側の辺部から折れ線を介して連設された略台形形状の第４内側構成部と、第４内側構成部の底面部側とは反対側の辺部から連設され第４内側構成部の外側の面に固着された略台形形状の両側に切欠部を形成した形状の第４外側構成部とを有する右側面部と、第１内側構成部と第３内側構成部との間に連設され第１内側構成部と第３内側構成部の下端の境界位置となる底面部の角部位置から上方に向けて形成された第１折込み片部で、２つ折りの状態で第３外側構成部の切欠部内で第３内側構成部の外側の面に接着して形成された第１折込み片部と、第２内側構成部と第３内側構成部との間に連設され第２内側構成部と第３内側構成部の下端の境界位置となる底面部の角部位置から上方に向けて形成された第２折込み片部で、２つ折りの状態で第３外側構成部の切欠部内で第３内側構成部の外側の面に接着して形成された第２折込み片部と、第１内側構成部と第４内側構成部との間に連設され第１内側構成部と第４内側構成部の下端の境界位置となる底面部の角部位置から上方に向けて形成された第３折込み片部で、２つ折りの状態で第４外側構成部の切欠部内で第４内側構成部の外側の面に接着して形成された第３折込み片部と、第２内側構成部と第４内側構成部との間に連設され第２内側構成部と第４内側構成部の下端の境界位置となる底面部の角部位置から上方に向けて形成された第４折込み片部で、２つ折りの状態で第４外側構成部の切欠部内で第４内側構成部の外側の面に接着して形成された第４折込み片部と、を有し、本体部の内側の面にコート層が露出するように形成され、内部の収納空間が上方にいくほど大径となる本体部と、シート状の両面段ボールの一方の面にポリエチレンテレフタラートにより形成されたコート層が形成されたブランクにより形成され、本体部に被せるための蓋部で、本体部の上面を被覆する方形状の上面部と、上面部の正面側の辺部から折れ線を介して連設された略台形形状の第１側面部と、上面部の背面側の辺部から折れ線を介して連設された略台形形状の第２側面部と、上面部の左側面側の辺部から折れ線を介して連設された略台形形状の第３側面部と、上面部の右側面側の辺部から折れ線を介して連設された略台形形状の第４側面部とを有し、コート層が形成された面を本体部側として本体部に被せる蓋部と、を有することを特徴とする。
【０００９】
この第１の構成の食品包装用容器においては、本体部がその側面が台形形状をなし内部の収納空間が上方にいくほど大径となるので、積み重ねることができ、また、蓋部も平板状にできるので、積み重ねることができ、本体部や蓋部の保管や運搬に際して省スペースを図ることができる。特に、本体部においては、各折込み片部が切欠部内に設けられていて外側に突出するのを防止することができるので、複数の本体部を隙間なく積み重ねることができ、省スペースを図ることができる。また、本体部は予め組み立てられた状態で保管・運搬できるので、組立て作業を要しない。また、食品包装用容器を使用する際には、本体部内に魚介類等の食品を収納し、その後、蓋部を本体部に被せて、結束バンド等により蓋部を本体部に固定する。
【００１０】
本考案の食品包装用容器においては、本体部の内側にコート層が形成されているので、内部で液体が漏れてもその液体が本体部を構成するブランク内に染みこむおそれがなく、また、本体部においては折込み片部が設けられているので、側面部を構成する正面部と背面部と左側面部と右側面部における隣接する側面部間には隙間が形成されず、液体が外部に漏れるおそれが小さい。
【００１１】
また、部品点数の点でも本体部と蓋部と結束バンドのみであるので、製造コストを抑えることができる。
【００１２】
さらに、蓋部を本体部に取り付けた状態では、包装箱の側面は、本体部における内側構成部と外側構成部と蓋部における側面部による三重に形成されるので、耐久性を向上させることができ、魚介類等の食品を収納した状態の食品包装用容器を積み重ねても食品包装用容器が損傷することがない。
【００１３】
また、第２には、上記第１の構成において、蓋部を本体部に被せた状態で周状に結束して蓋部を本体部に固定するための結束バンド部を有することを特徴とする。
【００１４】
また、第３には、上記第１又は第２の構成において、本体部における上記コート層が形成された面とは反対側の面と、蓋部における上記コート層が形成された面とは反対側の面とには、樹脂と溶剤とを混合してなるワニスにより形成された第２のコート層が形成されていることを特徴とする。よって、ワニスによる撥水機能により、第２のコート層の側の面から液体が染みこむことがない。
【考案の効果】
【００１５】
本考案に基づく食品包装用容器によれば、本体部がその側面が台形形状をなし内部の収納空間が上方にいくほど大径となるので、積み重ねることができ、また、蓋部も平板状にできるので、積み重ねることができ、本体部や蓋部の保管や運搬に際して省スペースを図ることができる。また、本体部は予め組み立てられた状態で保管・運搬できるので、組立て作業を要しない。また、食品包装用容器を使用する際には、本体部内に魚介類等の食品を収納し、その後、蓋部を本体部に被せて、結束バンド等により蓋部を本体部に固定する。
【００１６】
本考案の食品包装用容器においては、本体部の内側にコート層が形成されているので、内部で液体が漏れてもその液体が本体部を構成するブランク内に染みこむおそれがなく、また、本体部においては折込み片部が設けられているので、側面部を構成する正面部と背面部と左側面部と右側面部における隣接する側面部間には隙間が形成されず、液体が外部に漏れるおそれが小さい。
【００１７】
また、部品点数の点でも本体部と蓋部と結束バンドのみであるので、製造コストを抑えることができる。
【００１８】
さらに、蓋部を本体部に取り付けた状態では、包装箱の側面は、本体部における内側構成部と外側構成部と蓋部における側面部による三重に形成されるので、耐久性を向上させることができ、魚介類等の食品を収納した状態の食品包装用容器を積み重ねても食品包装用容器が損傷することがない。
【考案を実施するための最良の形態】
【００１９】
本考案においては、魚や貝等の魚介類等の食品用の包装容器であって、内部の水分が漏れるおそれがなく、組立て作業を要せずに保管時に省スペースを図ることができ、部品点数も少なく製造コストを抑えることができるものを提供するという目的を以下のようにして実現した。
【００２０】
本考案に基づく食品包装用容器５は、食品、特に、魚介類等の生鮮食品を包装するのに用いられるものであり、図１〜図５に示すように構成され、本体部１０と、蓋部１００と、結束バンド部１２０とを有している。なお、図面において、Ｙ１−Ｙ２方向は、Ｘ１−Ｘ２方向に直角な方向である。なお、図４、図５に示す展開図において、一点鎖線は谷折れ線を示し、二点鎖線は山折れ線を示している。
【００２１】
本体部１０と蓋部１００とは、それぞれ１枚のシート状のブランクにより形成されており、該ブランクは、図６に示すように、シート状の段ボール材（両面段ボール材）Ａの表側の面にコート層Ｂが設けられ、裏側の面にコート層Ｃが設けられた構成となっている。段ボール材Ａは、紙製であり、板状の紙製のライナーＡ１の裏面に断面略波形形状の紙製の中芯Ａ２が固着され、さらに、中芯Ａ２の裏面に板状の紙製のライナーＡ３を固着した構成となっている。また、コート層Ｂは、段ボール材ＡのライナーＡ１の表面に固着して形成され、ＰＥＴ（ポリエチレンテレフタラート）により形成されている。また、コート層（第２のコート層）Ｃは、段ボール材ＡのライナーＡ３の裏面に固着して形成され、樹脂（例えば、アルキド樹脂、ポリウレタン樹脂、エポキシ樹脂）と溶剤（例えば、テレビン油、ストッダード溶剤）とを混合してなるワニスにより形成され、コート層Ｃが形成されている面に撥水機能を持たせてある。なお、ワニスには、さらに乾性油を混合したものとしてもよい。なお、本体部１０及び蓋部１００において、ブランクの表側の面の全面にコート層Ｂが設けられ、ブランクの裏側の面の全面にコート層Ｃが設けられている。
【００２２】
ここで、本体部１０は、底面部１２と、正面部２０と、背面部３０と、側面部４０、５０と、折込み片部６０、７０、８０、９０とを有し、上方が開口した構成となっている。正面部２０と、背面部３０と、側面部４０、５０とは、本体部１０の側面を構成している。
【００２３】
底面部１２は、長方形状の板状を呈している。また、正面部２０は、底面部１２の正面側の辺部から斜め上方に立設して形成され、全体に略台形形状の板状を呈している。また、背面部３０は、底面部１２の背面側の辺部から斜め上方に立設して形成され、全体に略台形形状の板状を呈している。また、側面部（左側面部）４０は、底面部１２の左側面側の辺部から斜め上方に立設して形成され、全体に略台形形状の板状を呈している。また、側面部（右側面部）５０は、底面部１２の右側面側の辺部から斜め上方に立設して形成され、全体に略台形形状の板状を呈している。
【００２４】
本体部１０の構成の詳細を図４に示す展開図を主に用いて説明すると、底面部１２の正面側の辺部からは折れ線を介して台形形状の内側構成部（第１内側構成部）２２が連設されている。この内側構成部２２は、底面部１２から先端にいくほど幅広（Ｘ１−Ｘ２方向の幅が幅広）となるように台形形状に形成されている。なお、内側構成部２２の一対の直線状の長手辺は互いに平行に形成され、一対の長手辺間の直線状の短手辺である辺部２２ａ、２２ｂは互いに線対称にテーパ状に形成されている。また、内側構成部２２の底面部１２とは反対側の辺部からは、折れ線を介して台形形状の外側構成部（第１外側構成部）２４が連設されている。この外側構成部２４は、内側構成部２２側から先端にいくほど幅狭になるように台形形状に形成されていて、外側構成部２４の一対の長手辺は互いに平行に形成され、一対の長手辺間の直線状の短手辺である辺部２４ａ、２４ｂは互いに線対称にテーパ状に形成されている。なお、外側構成部２４におけるテーパ状のテーパ角度は、内側構成部２２におけるテーパ状のテーパ角度と同じであり、辺部２４ａは辺部２２ａと線対称に形成され、辺部２４ｂは辺部２２ｂと線対称に形成されている。なお、外側構成部２４の高さ方向の長さｈ２は、内側構成部２２の高さ方向の長さｈ１よりも長く形成されていて、本体部１０の組立て状態においては、外側構成部２４の下端が内側構成部２２の下端よりも下方に突出した構成となっている。また、外側構成部２４の内側構成部２２とは反対側の辺部（本体部１０の組立て状態では、下辺）には、三角形状の一対の切欠部２４ｃ、２４ｄが間隔を介して設けられている。この一対の切欠部２４ｃ、２４ｄ間の間隔は、本体部１０に蓋部１００を装着する際のＰＰバンドの幅に対応して設けられ、一対の切欠部２４ｃ、２４ｄ間の位置にＰＰバンドを装着した際に、外側構成部２４における一対の切欠部２４ｃ、２４ｄ間の部分が折れ曲がって、一対の切欠部２４ｃ、２４ｄ間にＰＰバンドが入り込むように構成されている。この外側構成部２４は、内側構成部２２の外側に折り返し、内側構成部２２の外側の面に接着される。
【００２５】
上記内側構成部２２と外側構成部２４により正面部２０が構成される。つまり、内側構成部２２の外側に外側構成部２４を接着して固着することにより正面部２０が構成される。
【００２６】
次に、底面部１２の背面側の辺部からは折れ線を介して台形形状の内側構成部（第２内側構成部）３２が連設されている。この内側構成部３２は、本体部１０の展開状態において内側構成部２２と線対称に形成されている点を除いては内側構成部２２と同様の構成であるので、詳しい説明を省略する。なお、内側構成部３２において、一対の長手辺間の直線状の短手辺である辺部３２ａ、３２ｂは互いに線対称にテーパ状に形成されている。
【００２７】
また、内側構成部３２の底面部１２とは反対側の辺部からは、折れ線を介して台形形状の外側構成部（第２外側構成部）３４が連設されている。この外側構成部３４は、本体部１０の展開状態において外側構成部２４と線対称に形成されている点を除いては外側構成部２４と同様の構成であるので、詳しい説明を省略する。なお、一対の長手辺間の直線状の短手辺である辺部３４ａ、３４ｂは互いに線対称にテーパ状に形成されていて、また、辺部３４ａは辺部３２ａと線対称に形成され、辺部３４ｂは辺部３２ｂと線対称に形成されている。また、外側構成部３４の内側構成部３２とは反対側の辺部（本体部１０の組立て状態では、下辺）には、三角形状の一対の切欠部３４ｃ、３４ｄが間隔を介して設けられている。この一対の切欠部３４ｃ、３４ｄは、上記と同様にＰＰバンドを装着するためのもので、切欠部３４ｃ、３４ｄは、切欠部２４ｃ、２４ｄと対応する位置に設けられていて、切欠部３４ｃと切欠部２４ｃとはＸ１−Ｘ２方向に同じ位置に設けられ、切欠部３４ｄと切欠部２４ｄとはＸ１−Ｘ２方向に同じ位置に設けられている。
【００２８】
上記内側構成部３２と外側構成部３４により背面部３０が構成される。つまり、内側構成部３２の外側に外側構成部３４を接着して固着することにより背面部３０が構成される。
【００２９】
次に、底面部１２の左側面側の辺部からは折れ線を介して台形形状の内側構成部（第３内側構成部）４２が連設されている。この内側構成部４２は、底面部１２から先端にいくほど幅広（Ｙ１−Ｙ２方向の幅が幅広）となるように台形形状に形成されている。なお、内側構成部４２の一対の長手辺は互いに平行に形成され、一対の長手辺間の直線状の短手辺である辺部４２ａ、４２ｂは互いに線対称にテーパ状に形成されている。この内側構成部４２の高さ方向の長さｈ３は、内側構成部２２の高さ方向の長さｈ１と略同一の長さに形成されている。
【００３０】
また、内側構成部４２の底面部１２とは反対側の辺部からは、折れ線を介して外側構成部（第３外側構成部）４４が連設されている。この外側構成部４４は、内側構成部４２側から先端にいくほど幅狭になるような台形形状の両側に略三角形状の切欠部４６が形成された形状を呈し、横長帯状の帯状部４４ａと帯状部４４ａの下端から連設され、略台形形状の台形状部４４ｂとを合わせた形状を呈している。なお、帯状部４４ａの両側の辺部４４ａ−１は、内側構成部４２との間の折れ線の端部から辺部４２ａ、４２ｂと線対称に形成され、また、辺部４４ａ−１から連設された辺部４４ａ−２は、折込み片部６０の上端辺（本体部１０の組立て状態における折込み片部６０、７０の上端辺）に合わせた方向と長さに直線状に形成されている。また、台形状部４４ｂは、帯状部４４ａ側の辺部が帯状部４４ａ側とは反対側の辺部よりも短い台形形状であり、両側の辺部４４ｂ−１は、互いに線対称のテーパ状に形成され、折込み片部６０、７０の側端辺（本体部１０の組立て状態における折込み片部６０、７０の側端辺）に合わせた方向と長さに直線状に形成されている。
【００３１】
なお、外側構成部４４の高さ方向の長さｈ４は、内側構成部４２の高さ方向の長さｈ３よりも長く形成されていて、本体部１０の組立て状態においては、外側構成部４４の下端が内側構成部４２の下端よりも下方に突出した構成となっている。また、外側構成部４４の内側構成部４２とは反対側の辺部（本体部１０の組立て状態では、下辺）には、三角形状の一対の切欠部４４ｃ、４４ｄが間隔を介して設けられている。この一対の切欠部４４ｃ、４４ｄ間の間隔は、本体部１０に蓋部１００を装着する際のＰＰバンドの幅に対応して設けられ、一対の切欠部４４ｃ、４４ｄ間の位置にＰＰバンドを装着した際に、外側構成部４４における一対の切欠部４４ｃ、４４ｄ間の部分が折れ曲がって、一対の切欠部４４ｃ、４４ｄ間にＰＰバンドが入り込むように構成されている。この外側構成部４４は、内側構成部４２の外側に折り返し、内側構成部４２の外側の面に接着される。
【００３２】
また、内側構成部４２と内側構成部２２の間には、折込み片部（第１折込み片部）６０が設けられている。つまり、内側構成部２２の辺部２２ａからは折れ線としての辺部２２ａを介して略三角形状の折込み片部構成部６２が連設され、この折込み片部構成部６２は、辺部２２ａと底面部１２の角部（辺部２２ａや辺部４２ａの基端となる角部）から伸びた折れ線６０ａと辺部６２ａで囲まれた形状を呈している。また、内側構成部４２の辺部４２ａからは折れ線としての辺部４２ａを介して略三角形状の折込み片部構成部６４が連設され、この折込み片部構成部６４は、辺部４２ａと底面部１２の角部から伸びた折れ線６０ａと辺部６４ａで囲まれた形状を呈している。折込み片部構成部６２と折込み片部構成部６４とは折れ線６０ａを介して連設され、折込み片部６０は折れ線６０ａを介して線対称に形成されている。なお、折込み片部６０は、本体部１０の組立て状態においては、折れ線６０ａを介して２つ折りにした状態（つまり、折込み片部構成部６２の面と折込み片部構成部６４の面とを当接させた状態）で折込み片部構成部６４の裏面と内側構成部４２の外側の面とを接着させることにより、内側構成部４２に固着されている。
【００３３】
また、内側構成部４２と内側構成部３２の間には、折込み片部（第２折込み片部）７０が設けられている。つまり、内側構成部３２の辺部３２ａからは折れ線としての辺部３２ａを介して略三角形状の折込み片部構成部７２が連設され、内側構成部４２の辺部４２ｂからは折れ線としての辺部４２ｂを介して略三角形状の折込み片部構成部７４が連設され、折込み片部構成部７２と折込み片部構成部７４とは、底面部１２の角部（辺部３２ａや辺部４２ｂの基端となる角部）から伸びた折れ線７０ａを介して連設され、折込み片部７０は折れ線７０ａを介して線対称に形成されている。なお、折込み片部７０は、本体部１０の展開状態において、折込み片部６０と線対称に形成されている。なお、折込み片部７０は、本体部１０の組立て状態においては、折れ線７０ａを介して２つ折りにした状態（つまり、折込み片部構成部７２の面と折込み片部構成部７４の面とを当接させた状態）で折込み片部構成部７４の裏面と内側構成部４２の外側の面とを接着させることにより、内側構成部４２に固着されている。
【００３４】
なお、外側構成部４４には、切欠部４６が設けられているので、折込み片部６０、７０は外側構成部４４には接着しない。また、折込み片部６０、７０が切欠部４６内に設けられるので、折込み片部６０、７０が外側に突出するのを防止することができる。
【００３５】
上記内側構成部４２と外側構成部４４と折込み片部６０、７０により側面部４０が構成される。つまり、内側構成部４２の外側に外側構成部４４を接着するとともに、折込み片部６０、７０を内側構成部４２の外側に接着することにより側面部４０が構成される。
【００３６】
次に、底面部１２の右側面側の辺部からは折れ線を介して台形形状の内側構成部（第４内側構成部）５２が連設されている。この内側構成部５２は、本体部１０の展開状態において内側構成部４２と線対称に形成されている点を除いては内側構成部４２と同様の構成であるので、詳しい説明を省略する。なお、内側構成部５２において、一対の長手辺間の直線状の短手辺である辺部５２ａ、５２ｂは互いに線対称にテーパ状に形成されている。
【００３７】
また、内側構成部５２の底面部１２とは反対側の辺部からは、折れ線を介して外側構成部（第４外側構成部）５４が連設されている。この外側構成部５４は、本体部１０の展開状態において外側構成部４４と線対称に形成されている点を除いては外側構成部４４と同様の構成であるので、詳しい説明を省略する。なお、この外側構成部５４は、内側構成部５２側から先端にいくほど幅狭になるような台形形状の両側に略三角形状の切欠部５６が形成された形状を呈し、横長帯状の帯状部５４ａと帯状部５４ａの下端から連設され、略台形形状の台形状部５４ｂとを合わせた形状を呈している。また、外側構成部５４の内側構成部５２とは反対側の辺部（本体部１０の組立て状態では、下辺）には、三角形状の一対の切欠部５４ｃ、５４ｄが間隔を介して設けられている。この一対の切欠部５４ｃ、５４ｄは、上記と同様にＰＰバンドを装着するためのもので、切欠部５４ｃ、５４ｄは、切欠部４４ｃ、４４ｄと対応する位置に設けられていて、切欠部５４ｃと切欠部４４ｃとはＸ１−Ｘ２方向に同じ位置に設けられ、切欠部５４ｄと切欠部４４ｄとはＹ１−Ｙ２方向に同じ位置に設けられている。
【００３８】
また、内側構成部５２と内側構成部２２の間には、折込み片部（第３折込み片部）８０が設けられている。この折込み片部８０は、本体部１０の展開状態において折込み片部６０と線対称に形成されている点を除いては折込み片部６０と同様の構成である。すなわち、内側構成部２２の辺部２２ｂからは折れ線としての辺部２２ｂを介して略三角形状の折込み片部構成部８２が連設され、この折込み片部構成部８２は、辺部２２ｂと底面部１２の角部（辺部２２ｂや辺部５２ａの基端となる角部）から伸びた折れ線８０ａと辺部８２ａで囲まれた形状を呈している。また、内側構成部５２の辺部５２ａからは折れ線としての辺部５２ａを介して略三角形状の折込み片部構成部８４が連設され、この折込み片部構成部８４は、辺部５２ａと底面部１２の角部から伸びた折れ線８０ａと辺部８４ａで囲まれた形状を呈している。折込み片部構成部８２と折込み片部構成部８４とは折れ線８０ａを介して連設され、折込み片部８０は折れ線８０ａを介して線対称に形成されている。なお、折込み片部８０は、本体部１０の組立て状態においては、折れ線８０ａを介して２つ折りにした状態（つまり、折込み片部構成部８２の面と折込み片部構成部８４の面とを当接させた状態）で折込み片部構成部８４の裏面と内側構成部５２の外側の面とを接着させることにより、内側構成部５２に固着されている。
【００３９】
また、内側構成部５２と内側構成部３２の間には、折込み片部（第４折込み片部）９０が設けられている。つまり、内側構成部３２の辺部３２ｂからは折れ線としての辺部３２ｂを介して略三角形状の折込み片部構成部９２が連設され、内側構成部５２の辺部５２ｂからは折れ線としての辺部５２ｂを介して略三角形状の折込み片部構成部９４が連設され、折込み片部構成部９２と折込み片部構成部９４とは、底面部１２の角部（辺部３２ｂや辺部５２ｂの基端となる角部）から伸びた折れ線９０ａを介して連設され、折込み片部９０は折れ線９０ａを介して線対称に形成されている。なお、折込み片部９０は、本体部１０の展開状態において、折込み片部７０や折込み片部８０と線対称に形成されている。なお、折込み片部９０は、本体部１０の組立て状態においては、折れ線９０ａを介して２つ折りにした状態（つまり、折込み片部構成部９２の面と折込み片部構成部９４の面とを当接させた状態）で折込み片部構成部９４の裏面と内側構成部５２の外側の面とを接着させることにより、内側構成部５２に固着されている。
【００４０】
なお、外側構成部５４には、切欠部５６が設けられているので、折込み片部８０、９０は外側構成部５４には接着しない。また、折込み片部８０、９０が切欠部５６内に設けられるので、折込み片部８０、９０が外側に突出するのを防止することができる。
【００４１】
展開状態の本体部１０を組み立てるには、まず、外側構成部を対応する内側構成部の外側の面に接着させるが、その場合に、コート層Ｃが形成されている面同士を接着させる。つまり、外側構成部２４を内側構成部２２に対して折り曲げて外側構成部２４のコート層Ｃ側の面を内側構成部２２のコート層Ｃ側の面に接着させ、また、外側構成部３４を内側構成部３２に対して折り曲げて外側構成部３４のコート層Ｃ側の面を内側構成部３２のコート層Ｃ側の面に接着させ、外側構成部４４を内側構成部４２に対して折り曲げて外側構成部４４のコート層Ｃ側の面を内側構成部４２のコート層Ｃ側の面に接着させ、また、外側構成部５４を内側構成部５２に対して折り曲げて外側構成部５４のコート層Ｃ側の面を内側構成部５２のコート層Ｃ側の面に接着させる。
【００４２】
その後、内側構成部２２、３２、４２、５２が内側となるように内側構成部と外側構成部とを接着してなる接着体を底面部１２に対して立設させる。その際、折込み片部６０、７０、８０、９０は外側に突出するようにする。
【００４３】
その後、折込み片部６０、７０、８０、９０を所定の内側構成部の所定の位置に接着させる。つまり、折込み片部６０の折込み片部構成部６４のコート層Ｃ側の面を内側構成部４２に接着させ、折込み片部７０の折込み片部構成部７４のコート層Ｃ側の面を内側構成部４２に接着させ、また、折込み片部８０の折込み片部構成部８４のコート層Ｃ側の面を内側構成部５２に接着させ、折込み片部９０の折込み片部構成部９４のコート層Ｃ側の面を内側構成部５２に接着させる。なお、図７は、折込み片部７０を接着する様子を示すものである。以上のようにして、本体部１０が組み立てられる。組立て状態の本体部１０においては、本体部１０の内側の面（底面部１２の上面と、正面部２０と背面部３０と側面部４０、５０の内側の面）と、正面部２０及び背面部３０の外側の面と、側面部４０、５０の外側の面の大部分（折込み片部の領域を除く部分）とには、コート層Ｂが露出していることになる。また、正面部２０と背面部３０と側面部４０、５０は台形形状を呈しているので、本体部１０の内側の空間は、下方から上方にいくほど径が大きく形成されている。
【００４４】
次に、蓋部１００について説明する。蓋部１００は、図１、図５等に示すように、上面部１０２と、上面部１０２の各辺部から折れ線を介して連設された側面部１１０、１１２、１１４、１１６とを有している。
【００４５】
ここで、上面部１０２は、長方形状の板状を呈し、その大きさは、本体部１０の上端位置の外形と略同一に形成されている。
【００４６】
また、側面部（第１側面部）１１０は、上面部１０２の正面側の辺部から折れ線を介して連設され、略台形形状の板状を呈している。つまり、側面部１１０は、本体部１０の正面部２０と略同大・同形状に形成されている。また、側面部（第２側面部）１１２は、上面部１０２の背面側の辺部から折れ線を介して連設され、略台形形状の板状を呈している。つまり、側面部１１２は、本体部１０の背面部３０と略同大・同形状に形成されている。また、側面部（第３側面部）１１４は、上面部１０２の左側面側の辺部から折れ線を介して連設され、略台形形状の板状を呈している。つまり、側面部１１４は、本体部１０の側面部４０と略同大・同形状に形成されている。また、側面部（第４側面部）１１６は、上面部１０２の右側面側の辺部から折れ線を介して連設され、略台形形状の板状を呈している。つまり、側面部１１６は、本体部１０の側面部５０と略同大・同形状に形成されている。
【００４７】
なお、蓋部１００においても、表側の面にコート層Ｂが形成され、裏側の面にコート層Ｃが形成されているが、使用に際しては、コート層Ｂが設けられている面を本体部１０側として使用する。
【００４８】
また、結束バンド部１２０は、ＰＰ（ポリプロリレン）バンドであり、図１に示すように、本体部１０の上部の開口部を蓋部１００により閉じた状態で、本体部１０と蓋部１００とを結束して一体とするのに用いられる。結束バンド部１２０は、図１に示すように、本体部１０に蓋部１００を載せた状態における長辺側に沿って結束する結束バンド部１２０ａと短辺側に沿って結束する結束バンド部１２０ｂを交差させて使用する。
【００４９】
上記構成の食品包装用容器５の使用状態について説明する。食品包装用容器５を保管・運搬する際には、本体部１０と蓋部１００とをそれぞれ積み重ねた状態とする。つまり、本体部１０は上記のように上方にいくほど径が大きくなる形状を呈しているので、積み重ねが容易であり、蓋部１００についても側面部１１０〜１１６を上面部１０２に対して面一としておくことにより平板状にできるので積み重ねが容易である。
【００５０】
食品包装用容器５を使用する際には、本体部１０内に食品（特に、魚介類等の生鮮食品）を収納する。具体的には、魚介類のように水分を含むものの場合には、袋に入れた状態で収納するのが好ましい。
【００５１】
食品を本体部１０内に収納したら、蓋部１００を本体部１０に被せる（図８参照）。つまり、上面部１０２が本体部１０の上部の開口部の位置にくるようにし、蓋部１００の各側面部を本体部１０の各側面部の外側に位置させる。つまり、正面部２０の外側に側面部１１０を位置させ、背面部３０の外側に側面部１１２を位置させ、側面部４０の外側に側面部１１４を位置させ、側面部５０の外側に側面部１１６を位置させる。
【００５２】
そして、結束バンド部１２０により本体部１０と蓋部１００とを結束させて蓋部１００を本体部１０に固定する。以上のように、蓋部１００が本体部１０に固定された状態で食品包装用容器５を運搬することにより食品を運搬する。
【００５３】
食品包装用容器５に収納された食品を取り出すには、結束バンド部１２０を切断し、蓋部１００を本体部１０から外すことにより、収納された食品を取り出すことができる。
【００５４】
本実施例の食品包装用容器５においては、本体部１０の内側にＰＥＴによるコート層Ｂが形成されているので、魚介類等の食品を収納する袋から液体が漏れてもその液体が本体部１０を構成するブランク内に染みこむおそれがなく、また、本体部１０における隣接する側面部間には折込み片部６０、７０、８０、９０が設けられているので、隣接する側面部間には隙間が形成されず、液体が外部に漏れるおそれが小さい。
【００５５】
また、本体部１０は予め組み立てられた状態で保管・運搬できるので、組立て作業を要せず、また、本体部１０と蓋部１００ともに積み重ねておくことができるので、省スペースを図ることができる。特に、本体部１０においては、折込み片部６０、７０が切欠部４６内に設けられていて、折込み片部６０、７０が外側に突出するのを防止することができるとともに、折込み片部８０、９０が切欠部５６内に設けられていて、折込み片部８０、９０が外側に突出するのを防止することができるので、複数の本体部を隙間なく積み重ねることができ、省スペースを図ることができる。
【００５６】
また、部品点数の点でも本体部１０と蓋部１００と結束バンド部１２０のみであるので、製造コストを抑えることができる。
【００５７】
また、本体部１０と蓋部１００は主に段ボール材で形成されているので、廃棄が容易であり、また、本体部１０と蓋部１００を構成するブランクが段ボール材Ａとコート層Ｂ、Ｃにより形成されているので、保温効果を得ることができる。特に、段ボール材には、中芯Ａ２の位置に空気層が形成されているので、保温効果が大きい。
【００５８】
また、本体部１０の外側の面においては、底面部１２ではコート層Ｃが露出し、正面部２０と背面部３０と側面部４０、５０では主としてコート層Ｂが露出し、折込み片部６０〜９０の箇所ではコート層Ｃが露出しているので、外部からの液体が本体部１０の内部に染みこむことがなく、同様に、蓋部１００においても、本体部１０に被せた状態では、外側にコート層Ｃが露出するので、外部からの液体が蓋部１００の内部に染みこむおそれがない。なお、蓋部１００の本体部１０側の面にもコート層Ｂが形成されているので、本体部１０側の面から液体が蓋部１００の内部に染みこむことがない。
【００５９】
以上のように、本体部１０と蓋部１００においては、それらを構成するブランクにおいてコート層Ｂとコート層Ｃが設けられているので、ブランクの内部に液体が染みこむことがなく、耐久性を向上させることができ、魚介類用の用途に用いても繰り返し使用することが可能となる。
【００６０】
また、本体部１０の正面部２０と背面部３０と側面部４０、５０は内側構成部と外側構成部とで二重に形成されているので、耐久性を向上させることができ、さらに、蓋部１００を本体部１０に取り付けた場合には、蓋部１００の側面部により食品包装用容器５の側面が三重に形成されてさらに耐久性が向上されるので、食品を収納した状態の食品包装用容器５を積み重ねても食品包装用容器５が損傷することがない。
【図面の簡単な説明】
【００６１】
【図１】本考案の実施例に基づく食品包装用容器の上方斜視図である。
【図２】本考案の実施例に基づく食品包装用容器における本体部の上方斜視図である。
【図３】本考案の実施例に基づく食品包装用容器における本体部の下方斜視図である。
【図４】本体部の展開図である。
【図５】蓋部の展開図である。
【図６】本体部及び蓋部を構成するブランクの断面図である。
【図７】本考案の実施例に基づく食品包装用容器の組立ての様子を示す要部斜視図である。
【図８】本考案の実施例に基づく食品包装用容器の使用状態を示す斜視図である。
【符号の説明】
【００６２】
５  食品包装用容器
１０  本体部
１２  底面部
２０  正面部
２２、３２、４２、５２  内側構成部
２４、３４、４４、５４  外側構成部
３０  背面部
４０、５０  側面部
６０、７０、８０、９０  折込み片部
６２、６４、７２、７４、８２、８４、９２、９４  折込み片部構成部
２４ｃ、２４ｄ、３４ｃ、３４ｄ、４４ｃ、４４ｄ、５４ｃ、５４ｄ、４６、５６  切欠部
１００  蓋部
１０２  上面部
１１０、１１２、１１４、１１６  側面部
１２０  結束バンド部
【図１】
0003147044.tif 000003
【図２】
0003147044.tif 000004
【図３】
0003147044.tif 000005
【図４】
0003147044.tif 000006
【図５】
0003147044.tif 000007
【図６】
0003147044.tif 000008
【図７】
0003147044.tif 000009
【図８】
0003147044.tif 000010